(57)【要約】      （修正有）【課題】Ｕ字型箱金物と棒型フォームタイ（登録商標）の着脱作業に共用できるＵ字型箱金物及び棒型フォームタイの着脱工具を提供すること。【解決手段】Ｕ字型箱金物を着脱するときは、電動ドリルのチャックにチャッキング部１２を連結する。そして、第２筒部１４をＵ字型箱金物の両側片の内面に沿って挿入し、第１筒部１３の一対の第１切り欠き部１３ｂを連結ピンに係止するとともに、第２筒部１４の一対の第２切り欠き部１４ｂをＵ字型箱金物の連結片に係止する。電動ドリルによって回転軸１１を回転させると、回転軸１１の回転に伴い、Ｕ字型箱金物が回転し、雌ネジ部も回転するので、Ｕ字型箱金物が一対の型枠を連結するボルトに締め付けられ、又はボルトから外れる。棒型フォームタイを着脱するときは、雌ネジ部の反対側の端部を第１筒部１３の開口端面１３ａから挿入し、電動ドリルで回転軸１１を回転させる。【選択図】図１
2020019094.tif 000002
【特許請求の範囲】
【請求項１】
一対の側片と、両側片を連結する連結片から成る略Ｕ字形を有し、連結片の中央部にコンクリートパネルから突出するボルトに螺合する雌ネジ部を設け、連結片の内側近傍に両側片を連結する連結ピンを設け、両側片に楔が挿通される楔穴を形成したＵ字型箱金物と、
扁平な棒状の本体の一端に前記ボルトに螺合する雌ネジ部を設け、本体に楔穴を形成した棒型フォームタイのいずれかを前記ボルトに着脱するＵ字型箱金物及び棒型フォームタイの着脱工具であって、
一端に電動ドリルのチャックに連結されるチャッキング部を設けた回転軸の他端に開口端面を有する第１筒部を設け、
第１筒部の断面形状を前記棒型フォームタイの他端を開口端面から挿入したとき、他端が第１筒部に対して相対回転不能に遊びをもって嵌合する所要形状に形成するとともに、第１筒部の開口端面に前記Ｕ字型箱金物の連結ピンに係止する一対の第１切り欠き部を互いに対向するように形成したことを特徴とするＵ字型箱金物及び棒型フォームタイの着脱工具。
【請求項２】
前記回転軸の他端に、開口端面を有する第２筒部を設け、
第２筒部で第１筒部を覆うように第２筒部の底部中心から第１筒部を突出させ、
第２筒部の開口端面に前記Ｕ字型箱金物の連結片に係止する一対の第２切り欠き部を互いに対向するように形成し、
かつ第２切り欠き部に連接して前記Ｕ字型箱金物の連結ピンに係止する第３切り欠き部を形成したことを特徴とする請求項１に記載のＵ字型箱金物及び棒型フォームタイの着脱工具。
【請求項３】
前記回転軸にパイプ材を用い、パイプ材の一端にチャッキング部を設け、パイプ材の他端開口を前記所要形状に形成したことを特徴とする請求項１に記載のＵ字型箱金物及び棒型フォームタイの着脱工具。
【請求項４】
前記他端開口の形状を長穴に形成したことを特徴とする請求項３に記載のＵ字型箱金物及び棒型フォームタイの着脱工具。
【発明の詳細な説明】
【技術分野】
【０００１】
本発明はコンクリートパネルの施工時に使用されるＵ字型箱金物及び棒型フォームタイの着脱工具に関する。
【背景技術】
【０００２】
コンクリートパネルの施工時、図７に示すＵ字型箱金物１や、図８に示す棒型フォームタイ２が使用される。Ｕ字型箱金物１は、一対の側片１ａと、両側片１ａを連結する連結片１ｂから成る略Ｕ字形を有する。連結片１ｂの中央部には、コンクリートパネルを貫通して突出するプラスチックコーン又はセパレータのボルトに螺合する雌ネジ部１ｃが設けられている。連結片１ｂの内側近傍には両側片１ａを連結する連結ピン１ｄが設けられている。また、両側片１ａには楔が挿通される楔穴１ｅが形成されている。
【０００３】
図９に示すように、コンクリートパネル３の施工時、Ｕ字型箱金物１がプラスチックコーン又はセパレータ４のボルト４ａに締め付けてコンクリートパネル３に固定される。そして、コンクリートパネル３を支える複数本の縦桟５の間に横桟６を架け渡し、楔穴１ｅに楔片７を打ち込んで縦桟５と横桟６が連結され、両桟５，６でコンクリートパネル３が強固に立設保持される。
【０００４】
棒型フォームタイ２は、扁平な棒状の本体２ａの一端にプラスチックコーン又はセパレータ４のボルト４ａに螺合する雌ネジ部２ｂが設けられ、他端２ｃは長方形の断面形状を有する、また、本体２ａには楔穴２ｄが形成されている。
【０００５】
図１０に示すように、棒型フォームタイ２はボルト４ａに雌ネジ部２ｂを締め付けてコンクリートパネル３に固定される。そして、楔穴２ｄに楔片７を打ち込んで縦桟５と横桟６連結する。
【０００６】
特開２００６−３４６８２９号公報には、Ｕ字型箱金物の着脱工具が開示されている。この着脱工具は、回転軸の一端に電動ドリルのチャックに連結されるチャッキング部を設け、他端にコ字形の係止部が設けられている。
この着脱工具によれば、電動ドリルのチャックにチャッキング部を連結し、コ字形の係止部をＵ字型箱金物の連結ピンに係止し、電動ドリルで回転軸を回転させると、Ｕ字型フォームが回転軸とともに回転し、プラスチックコーン又はセパレータのボルトに着脱される。
【０００７】
また、特開２０１５−９３３３３号公報には、一端に電動ドリルのチャックに連結されるチャッキング部を設けた回転軸の他端に開口端面を有する筒部を設け、筒部の開口端面にＵ字型箱金物の連結ピンが係止する一対の切り欠き部を互いに対向するように形成したＵ字型箱金物の着脱工具が開示されている。
この着脱工具によれば、電動ドリルのチャックにチャッキング部を連結し、筒部の切り欠き部をＵ字型箱金物の連結ピンに係止し、電動ドリルで回転軸を回転させると、Ｕ字型箱金物が回転軸とともに回転し、プラスチックコーン又はセパレータのボルトに着脱される。
【先行技術文献】
【特許文献】
【０００８】
【特許文献１】特開２００６−３４６８２９号公報
【特許文献２】特開２０１５−９３３３３号公報
【発明の概要】
【発明が解決しようとする課題】
【０００９】
コンクリートパネルの施工現場では、Ｕ字型箱金物だけでなく、棒型フォームタイも使用されるが、上記した従来の着脱工具は専らＵ字型箱金物の着脱にしか用いることができない。
本発明は上記問題点に鑑み、Ｕ字型箱金物と棒型フォームタイに共用できるＵ字型箱金物及び棒型フォームタイの着脱工具を提供することを目的とする。
【課題を解決するための手段】
【００１０】
請求項１に記載の発明は、
一対の側片と、両側片を連結する連結片から成る略Ｕ字形を有し、連結片の中央部にコンクリートパネルから突出するボルトに螺合する雌ネジ部を設け、連結片の内側近傍に両側片を連結する連結ピンを設け、両側片に楔が挿通される楔穴を形成したＵ字型箱金物と、
扁平な棒状の本体の一端に前記ボルトに螺合する雌ネジ部を設け、本体に楔穴を形成した棒型フォームタイのいずれかを前記ボルトに着脱するＵ字型箱金物及び棒型フォームタイの着脱工具であって、
一端に電動ドリルのチャックに連結されるチャッキング部を設けた回転軸の他端に開口端面を有する第１筒部を設け、
第１筒部の断面形状を前記棒型フォームタイの他端を開口端面から挿入したとき、他端が第１筒部に対して相対回転不能に遊びをもって嵌合する所要形状に形成するとともに、第１筒部の開口端面に前記Ｕ字型箱金物の連結ピンに係止する一対の第１切り欠き部を互いに対向するように形成したことを特徴とする。
【００１１】
請求項２に記載の発明は請求項１に記載のＵ字型箱金物及び棒型フォームタイの着脱工具において、
前記回転軸の他端に、開口端面を有する第２筒部を設け、
第２筒部で第１筒部を覆うように第２筒部の底部中心から第１筒部を突出させ、
第２筒部の開口端面に前記Ｕ字型箱金物の連結片に係止する一対の第２切り欠き部を互いに対向するように形成し、
かつ第２切り欠き部に連接して前記Ｕ字型箱金物の連結ピンに係止する第３切り欠き部を形成したことを特徴とする。
【００１２】
そして、好ましくは、前記回転軸にパイプ材を用い、パイプ材の一端にチャッキング部を設け、パイプ材の他端開口を前記所要形状に形成する。
また、好ましくは、前記第１筒部の端面開口の形状を長穴に形成する。
【発明の効果】
【００１３】
請求項１に記載の発明によれば、Ｕ字型箱金物を着脱するときは、電動ドリルのチャックにチャッキング部を連結し、第１筒部の一対の第１切り欠き部を連結ピンに係止し、電動ドリルで回転軸を回転させる。回転軸の回転に伴い、Ｕ字型箱金物が回転し、雌ネジ部も回転するので、Ｕ字型箱金物がボルトに締め付けられ、又はボルトから外れる。
一方、棒型フォームタイを着脱するときは、雌ネジ部の反対側の端部を第１筒部の開口端面から挿入して回転軸を電動工具で回転させる。棒型フォームタイの端部は第１筒部に対して相対回転不能に嵌合しているので、回転軸の回転に伴い、棒型フォームタイが回転し、雌ネジ部も回転し、ボルトに締め付けられ、又はボルトから外れる。
このように、本発明に係る着脱工具は、Ｕ字型箱金物と棒型フォームタイの着脱作業に共用できる。
【００１４】
請求項２に記載の発明によれば、Ｕ字型箱金物をボルトから取り外すとき、第１筒部の第１切り欠き部が連結ピンに係止され、第２筒部の第２切り欠き部が連結片に係止されるので、Ｕ字型箱金物は第１切り欠き部と第２切り欠き部の２箇所で着脱工具に保持されることになる。このため、Ｕ字型箱金物をボルトから取り外すときに雌ネジ部がボルトから離脱しても着脱工具から落下し難く、Ｕ字型箱金物の回収作業が容易になる。
また、棒型フォームタイに比べると、Ｕ字型箱金物は構造的に脆弱であり、破損するおそれが大きい。本発明によれば、Ｕ字型箱金物を着脱するとき第１筒部が連結ピンに係止し、第２筒部が連結片に係止するので、回転軸が回転するときにＵ字型箱金物及び工具に対して負荷が分散される。そのため、Ｕ字型箱金物及び工具が破損し難い。
さらにまた、第１筒部と第２筒部の両方がＵ字型箱金物に係止することで、工具とＵ字型箱金物の角度が一定になる。それによって、プラスチックコーン又はセパレータのボルトの軸に対して工具の回転軸を直線的な状態に保つことができるので、ボルトの軸と工具の回転軸をほぼ一直線に整列させることができる。そのため回転軸を回転させるときに電動ドリルや工具の横ブレが小さくなり、作業効率が向上するだけでなく、Ｕ字型箱金物、工具及び電動ドリルに過大な負荷がかからないので、これらが破損し難くなる。
【図面の簡単な説明】
【００１５】
【図１】本発明の実施例に係るＵ字型箱金物及び棒型フォームタイの着脱工具を示す斜視図である。
【図２】同着脱工具を示す一部破断した正面図である。
【図３】同着脱工具を示す側面図である。
【図４】同着脱工具の使用方法を示す説明図である。
【図５】同着脱工具の第２筒部とＵ字型箱金物を示す部分斜視図である。
【図６】同着脱工具の他の使用方法を示す説明図である。
【図７】Ｕ字型箱金物を示す斜視図である。
【図８】棒型フォームタイを示す斜視図である。
【図９】Ｕ字型箱金物の使用方法を示す説明図である。
【図１０】棒型フォームタイの使用方法を示す説明図である。
【実施例】
【００１６】
以下に本発明を図面に基づき説明する。図１〜図３には本発明の一実施例に係るＵ字型箱金物及び棒型フォームタイの着脱工具１０が示されている。当該着脱工具１０はパイプ材から成る回転軸１１を備えている。回転軸１１の一端には電動ドリルのチャックに連結されるチャッキング部１２が一体に設けられている。回転軸１１の他端には開口端面１３ａを有する第１筒部１３が一体に設けられている。
【００１７】
図３に示すように、第１筒部１３はパイプ材である回転軸１１の開口端面１３ａ側の端部を断面形状が長穴になるように押し潰すことで成形されている。断面形状を長穴に形成した第１筒部１３には、棒型フォームタイ２の雌ネジ部２ｂと反対側の端部２ｃを開口端面１３ａから挿入したとき、端部２ｃが第１筒部１３に対して相対回転不能に遊びをもって嵌合する。また、第１筒部１３の開口端面１３ａにはＵ字型箱金物１の連結ピン１ｄに係止する一対の第１切り欠き部１３ｂが互いに対向するように形成されている。
【００１８】
第１筒部１３を設けた回転軸１１の端部には、開口端面１４ａを有する第２筒部１４が第１筒部１３を覆うように設けられ、第１筒部１３が第２筒部１４の底部から突出している。第２筒部１４の開口端面１４ａにはＵ字型箱金物１の連結片１ｂに係止する一対の第２切り欠き部１４ｂが互いに対向するように形成されている。そして、第２切り欠き部１４ｂに連接してＵ字型箱金物１の連結ピン１ｄに係止する第３切り欠き部１４ｃが形成されている。また、第２筒部１４の表面には複数本の補強用のリング凸条１４ｄが形成されている。
【００１９】
本実施例に係るＵ字型箱金物及び棒型フォームタイ１，２の着脱工具１０の構造は以上の通りであって、図４に示すように、Ｕ字型箱金物１を着脱するときは、電動ドリル２０のチャックにチャッキング部１２を連結する。そして、図５に示すように、第２筒部１４をＵ字型箱金物１の両側片１ａの内面に沿って挿入し、第１筒部１３の一対の第１切り欠き部１３ｂを連結ピン１ｄに係止するとともに、第２筒部１４の一対の第２切り欠き部１４ｂをＵ字型箱金物１の連結片１ｂに係止する。このとき、第２筒体１４の一対の第３切り欠き部１４ｃも連結ピン１ｄに係止される。
【００２０】
図４に示す状態で電動ドリル２０によって回転軸１１を回転させると、回転軸１１の回転に伴い、Ｕ字型箱金物１が回転し、雌ネジ部１ｃも回転するので、Ｕ字型箱金物１が一対の型枠３を連結するボルト８に締め付けられ、又はボルト８から外れる。
【００２１】
一方、棒型フォームタイ２を着脱するときは、雌ネジ部２ｂの反対側の端部２ｃを第１筒部１３の開口端面１３ａから挿入し、電動ドリル２０で回転軸１１を回転させる。棒型フォームタイ２の端部２ｃは第１筒部１３に対して相対回転不能に嵌合しているので、回転軸１１の回転に伴い、棒型フォームタイ２が回転し、雌ネジ部２ｂも回転し、ボルト８に締め付けられ、又はボルト８から外れる。
【００２２】
以上説明したように、本実施例に係る着脱工具１０は、Ｕ字型箱金物１と棒型フォームタイ２の着脱作業に共用できる。
【００２３】
またＵ字型箱金物１をボルト８から取り外すとき、第１筒部１３の第１切り欠き部１３ｂが連結ピン１ｄに係止され、第２筒部１４の第２切り欠き部１４ｂが連結片１ｂに係止されるので、Ｕ字型箱金物１は第１切り欠き部１３ｂと第２切り欠き部１４ｂの２箇所で着脱工具１０に保持されることになる。このため、Ｕ字型箱金物１をボルト８から取り外すときに雌ネジ部１ｃがボルト８から離脱しても着脱工具１０から落下し難く、Ｕ字型箱金物１の回収作業が容易になる。
【００２４】
また、棒型フォームタイ２に比べると、Ｕ字型箱金物１は構造的に脆弱であり、破損するおそれが大きい。本実施例によれば、Ｕ字型箱金物１を着脱するとき第１筒部１３が連結ピン１ｄに係止し、第２筒部１４が連結片１ｂに係止するので、回転軸１１が回転するときにＵ字型箱金物１及び工具１０に対して負荷が分散される。そのため、Ｕ字型箱金物１及び工具１０が破損し難い。
【００２５】
さらにまた、第１筒部１３と第２筒部１４の両方がＵ字型箱金物１に係止することで、工具１０とＵ字型箱金物１の角度が一定になる。それによって、プラスチックコーン又はセパレータ４のボルト８の軸に対して工具の回転軸を直線的な状態に保つことができるので、ボルト８の軸と工具１０の回転軸１１をほぼ一直線に整列させることができる。そのため回転軸１１を回転させるときに電動ドリル２０や工具１０の横ブレが小さくなり、作業効率が向上するだけでなく、Ｕ字型箱金物１、工具１０及び電動ドリル２０に過大な負荷がかからないので、これらが破損し難くなる。
【符号の説明】
【００２６】
１…Ｕ字型箱金物
１ａ…側片
１ｂ…連結片
１ｃ…雌ネジ部
１ｄ…連結ピン
１ｅ…楔穴
２…棒型フォームタイ
２ａ…本体
２ｂ…雌ネジ部
２ｃ…端部
２ｄ…楔穴
１０…Ｕ字型箱金物及び棒型フォームタイの着脱工具
１１…回転軸
１２…チャッキング部
１３…第１筒部
１３ａ…開口端面
１３ｂ…第１切り欠き部
１４…第２筒部
１４ａ…開口端面
１４ｂ…第２切り欠き部
１４ｃ…第３切り欠き部
２０…電動ドリル
【図１】
2020019094.tif 000003
【図２】
2020019094.tif 000004
【図３】
2020019094.tif 000005
【図４】
2020019094.tif 000006
【図５】
2020019094.tif 000007
【図６】
2020019094.tif 000008
【図７】
2020019094.tif 000009
【図８】
2020019094.tif 000010
【図９】
2020019094.tif 000011
【図１０】
2020019094.tif 000012